(57)【要約】【課題】入力デバイスとして利用可能な複数の携帯端末の、操作対象装置への操作権限の変更を容易な手順で実現可能な仕組みを提供すること。【解決手段】情報処理装置および、前記情報処理装置の操作権限を有する入力デバイスとして該情報処理装置に接続可能な複数の入力装置とから構成される入力システムであって、前記入力デバイスとして前記入力装置との接続要求を受付ける接続要求受付手段と、前記入力デバイスとしての接続を、前記接続要求を受付けた時に接続されていた第1の入力装置から前記接続要求された第２の入力装置に変更する入力デバイス変更手段と、前記情報処理装置に対して、入力デバイスとしての接続要求を行う接続要求手段とを備えることを特徴とする。【選択図】図１
2014130490.tif 000002
【特許請求の範囲】
【請求項１】
情報処理装置および、前記情報処理装置の操作権限を有する入力デバイスとして該情報処理装置に接続可能な複数の入力装置とから構成される入力システムであって、
前記情報処理装置は、
前記入力デバイスとして前記入力装置との接続要求を受付ける接続要求受付手段と、
前記入力デバイスとしての接続を、前記接続要求を受付けた時に接続されていた第1の入力装置から前記接続要求された第２の入力装置に変更する入力デバイス変更手段と、を有し、
前記入力装置は、
前記情報処理装置に対して、入力デバイスとしての接続要求を行う接続要求手段と、
を備えることを特徴とする入力システム。
【請求項２】
前記情報処理装置は、
前記接続要求を行った入力装置が、操作権限を有する入力デバイスとして接続されているかを判定する権限判定手段と、
前記入力デバイス変更手段は、前記権限判定手段により前記入力装置が、操作権限を揺する入力デバイスとして接続されていると判定される場合に、前記接続要求された第２の入力装置に変更することを特徴とする請求項１記載の入力システム。
【請求項３】
前記接続要求手段は、
前記第１の入力装置から音声によって指定された前記第２の入力装置を接続するよう接続要求することを特徴とする請求項１または２記載の入力システム。
【請求項４】
前記接続要求手段は、
前記第１の入力装置から接触することによって指定された前記第２の入力装置を接続するよう接続要求することを特徴とする請求項１または２記載の入力システム。
【請求項５】
前記入力デバイス変更手段は、
前記第１の入力装置との入力デバイスとしての接続を解除し、その後、前記第２の入力装置を入力デバイスとして接続することを特徴とする請求項１乃至４のいずれか１項に記載の入力システム。
【請求項６】
前記入力装置は、前記入力デバイス変更手段により前記第２の入力装置として接続が変更された場合に、前記入力デバイスの画面イメージを表示部に表示することを特徴とすることを特徴とする請求項１乃至５のいずれか１項に記載の入力システム。
【請求項７】
前記入力デバイスはマウスデバイスであることを特徴とする請求項１乃至６のいずれか１項に記載の入力システム。
【請求項８】
入力デバイスとして接続させることが可能な複数の入力装置と通信可能な情報処理装置であって、
前記入力デバイスとして前記入力装置との接続要求を受付ける接続要求受付手段と、
前記入力デバイスとしての接続を、前記接続要求を受付けた時に接続されていた第1の入力装置から前記接続要求された第２の入力装置に変更する入力デバイス変更手段と、
を有することを特徴とする情報処理装置。
【請求項９】
情報処理装置および、前記情報処理装置の操作権限を有する入力デバイスとして該情報処理装置に接続可能な複数の入力装置とから構成される入力システムの制御方法であって、
前記情報処理装置が実行する、
前記入力デバイスとして前記入力装置との接続要求を受付ける接続要求受付ステップと、
前記入力デバイスとしての接続を、前記接続要求を受付けた時に接続されていた第1の入力装置から前記接続要求された第２の入力装置に変更する入力デバイス変更ステップと、を有し、
前記入力装置が実行する、
前記情報処理装置に対して、入力デバイスとしての接続要求を行う接続要求ステップと、
を備えることを特徴とする入力システムの制御方法。
【請求項１０】
情報処理装置および、前記情報処理装置の操作権限を有する入力デバイスとして該情報処理装置に接続可能な複数の入力装置とから構成される入力システムで実行可能なプログラムであって、
前記情報処理装置を、
前記入力デバイスとして前記入力装置との接続要求を受付ける接続要求受付手段と、
前記入力デバイスとしての接続を、前記接続要求を受付けた時に接続されていた第1の入力装置から前記接続要求された第２の入力装置に変更する入力デバイス変更手段と、して機能させ、
前記入力装置を、
前記情報処理装置に対して、入力デバイスとしての接続要求を行う接続要求手段と、して機能させるためのプログラム。
【発明の詳細な説明】
【技術分野】
【０００１】
本発明は、入力デバイスとして利用可能な入力装置の情報処理装置への接続方法に関し、特にワイヤレス通信により入力デバイスとして携帯端末装置を入力装置として利用する技術に関する。
【背景技術】
【０００２】
近年、パーソナルコンピュータなどの入力デバイスであるマウスやタッチパッドの代わりに、携帯端末を利用することが行われている。例えば、ｂｕｅｔｏｏｔｈ（登録商標）や赤外線通信機能等の近距離無線通信機能や、非接触無線通信機能を用いて、携帯端末とパーソナルコンピュータが通信することにより実現される。これに関連する技術として、
【０００３】
特許文献１には、携帯電話機にワイヤレス機能を設ける技術について提案されている。ここでは、携帯端末装置に設けられたカメラにより撮像された各画像間の変移量に基づいて、マウスポインタを動かすものである。
【０００４】
特許文献２には、タッチパネル上の指の移動量と移動方向および具備するマウスボタンの状態を送信することにより、空間マウスとして利用できる入力装置が提案されている。
【先行技術文献】
【特許文献】
【０００５】
【特許文献１】特願２００７−１２３９６２号公報
【特許文献２】特願２００９−１８７３５３号公報
【発明の概要】
【発明が解決しようとする課題】
【０００６】
ところで、複数人数による会議などで参加者がそれぞれマウスとして利用可能な携帯端末を所有している場合は、それぞれの所有する携帯端末をマウスとして利用したいケースが発生する。
【０００７】
しかしながら、現状のパーソナルコンピュータなどでは、マウスカーソルを複数のデバイスから制御することはできず、パーソナルコンピュータ１台に対して１つのマウスを利用するようになっており複数の入力デバイスを同時に接続することができない。
【０００８】
引用文献１および引用文献２で提案された技術を用いる場合も同様で、このような携帯端末を入力デバイスとして複数人で利用したい場合は、操作する人に入力デバイス（携帯端末装置）を渡すか、入力デバイス（携帯端末装置）の近くまで人が移動するか、または、入力デバイス（携帯端末装置）を持っている人に操作をお願いする、等が一般的に行われている。
【０００９】
そして、参加者が所有する携帯端末を入力デバイスとして利用したい場合は、パーソナルコンピュータから、利用している携帯端末の接続を一旦外して、新たな携帯端末を接続するという手間が発生する。
【００１０】
そこで、本発明では、入力デバイスとして利用可能な複数の携帯端末の、操作対象装置への操作権限の変更を容易な手順で実現可能な仕組みを提供することを課題とする。
【課題を解決するための手段】
【００１１】
情報処理装置および、前記情報処理装置の操作権限を有する入力デバイスとして該情報処理装置に接続可能な複数の入力装置とから構成される入力システムであって、前記入力デバイスとして前記入力装置との接続要求を受付ける接続要求受付手段と、前記入力デバイスとしての接続を、前記接続要求を受付けた時に接続されていた第1の入力装置から前記接続要求された第２の入力装置に変更する入力デバイス変更手段と、前記情報処理装置に対して、入力デバイスとしての接続要求を行う接続要求手段とを備える。
【発明の効果】
【００１２】
本発明によれば、入力デバイスとして利用可能な複数の携帯端末の、操作対象装置への操作権限の変更を容易な手順で実現可能な仕組みを提供することができる。
【図面の簡単な説明】
【００１３】
【図１】本発明の入力装置を利用した入力システムの一例を示すシステム構成図である。
【図２】本発明の入力システムの情報処理装置のハードウェア構成図である。
【図３】本発明の入力装置に表示されるマウス画面の一例を示す図である。
【図４】本発明の入力装置の状態遷移の一例を示す状態遷移図である。
【図５】本発明の入力システムの操作権限の付与処理の一例をフローチャートである。
【図６】本発明の入力システムの操作権限変更のイメージ図である。
【図７】本発明の入力システムの全体処理の一例を示すフローチャートである。
【図８】本発明の入力システムの携帯端末装置情報テーブルの一例を示す図である。
【図９】本発明の入力システムの権限変更処理の一例を示す図である。
【発明を実施するための形態】
【００１４】
以下、図面を参照して、本発明の実施形態を詳細に説明する。
図１は、本発明の入力装置を利用した入力システムの一例を示すシステム構成図である。
【００１５】
入力システムは、複数の携帯端末１００（図では、携帯端末Ａ〜Ｃと表示）と情報処理装置１２０が、近距離無線通信装置１１０を介して接続されている。
【００１６】
なお、情報処理装置１２０に入力デバイスとして接続できる携帯端末１００は、ＯＳの仕様により１台に制限されているため、本発明では、入力デバイスとして接続する携帯端末装置（入力装置）を切り替える（変更する）機能を提供するものである。
【００１７】
携帯端末装置１００は、入力デバイスとして情報処理装置に接続可能な入力装置であって、キーボードやマウスポインタとして接続される。なお、本発明では、便宜上、入力デバイスがマウスである場合について説明するが、キーボードやその他入力デバイスが含まれることはいうまでもない。携帯端末装置には入力デバイスとして機能するためのアプリケーションがインストールされている。
【００１８】
携帯端末装置１００は、タッチパネル１０１、マイク１０２、ＧＰＳ１０３、音声処理部１０４、加速度センサ１０６、マウスカーソル制御の権利処理部１０６、および近距離無線通信部１０７を有している。
【００１９】
１０１から１０５の各処理部は、携帯端末装置１００から情報処理装置への接続状態を変更する携帯端末装置を指定するために利用される。詳細については後述するが、指定する方法として、タッチパネル１０１を利用して手動で指定する方法、マイク１０２・音声処理部１０２を利用して音声により指定する方法、ＧＰＳ１０３・加速度センサ１０５を利用して振動により指定する方法などがある。
【００２０】
また、タッチパネル１０１には、後述するソフトウェアマウス画面が表示され、マウス機能を実現することができる。キーボードとして接続される場合は、ソフトウェアキーボードの画面が表示され、キーボード機能を実現することができる。
【００２１】
マウスカーソル制御の権利取得部１０６は、携帯端末装置でのマウスカーソル制御の権利に関する処理を行う。具体的には、情報処理装置への入力デバイスとしての接続を行ったり、接続を解除したりする処理を行う。情報処理装置に入力デバイスとして接続している状態を、マウスカーソル制御の権利を有しているということができる。
【００２２】
また、入力デバイスとして接続させる携帯端末装置を指定する際に、指定処理を行う携帯端末装置の識別ＩＤと、指定される（接続する）携帯端末装置の識別ＩＤを情報処理装置に送信する処理も行う。
【００２３】
近距離無線通信部１１０は、携帯端末装置を入力デバイスとして情報処理装置に無線によって接続させるために通信を行う装置である。情報処理装置と携帯端末装置をペアリングすることにより接続状態とする。接続を他の携帯端末に変更する場合には、このペアリングを変更する。
【００２４】
なお、携帯端末装置１００は、すべて同じ構成を有するものであり、携帯端末装置ＢおよびＣについても、携帯端末装置Ａと同じ機能構成を有するものとする。
【００２５】
情報処理装置１２０は、マウスカーソル制御の権利判定モジュール１２１、マウスカーソル制御のテーブル管理モジュール１２２、およびマウスカーソル制御の接続変更モジュール１２３を有している。
【００２６】
権利判定モジュール１２１は、携帯端末装置から受信した「送信した携帯端末の識別ＩＤ」を受け取り、現在入力デバイスとして接続されている携帯端末装置であるかの判定を行う。現在接続されているデバイスからの要求を受け付けることができる。
【００２７】
テーブル管理モジュール１２２は、受信した接続要求に対して、携帯端末情報テーブルの管理を行う。入力システムに参加している携帯端末装置および現在入力デバイスとして接続している携帯端末装置の管理を行う。接続する携帯端末を変更した場合には、テーブルの更新も行う。
【００２８】
接続変更モジュール１２３は、情報処理装置に入力デバイスとして接続されている携帯端末装置を変更する処理を行う。
【００２９】
これにより、複数人数で会議を行っているような状態で、マウスの操作権限を容易に変更することが可能となる。
図２は、本発明の入力システムの情報処理装置のハードウェア構成図である。
【００３０】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００３１】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００３２】
また、２０５は入力コントローラで、キーボード（ＫＢ）２０９や不図示のマウス等のポインティングデバイス等からの入力を制御する。入力装置の接続については、情報処理装置に備えられた入力デバイス用のポートの挿入する方法や、無線通信などにより接続する方法がある。本発明では、この無線通信による入力デバイスの接続を制御するものである。
【００３３】
２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００３４】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３５】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００３６】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３７】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されている。
図３は、本発明の入力装置に表示されるマウス画面の一例を示す図である。
【００３８】
携帯端末装置１００のタッチパネル１０１に表示されるソフトウェアマウスであり、携帯端末装置にインストールされるアプリケーションにより実現される。このアプリケーションがインストールされた携帯端末装置が、本発明の入力システムの入力装置として動作可能である。
【００３９】
図に示すように、ソフトウェアマウスは、マウスデバイスとして動作可能であり、携帯端末装置１００の表示部であるタッチパネル１０１上に表示される。本実施例では、左ボタン２０２、右ボタン２０３、およびチルトホイール２０４が配置さており、それぞれをタッチパネル上から操作することでマウスとして利用できる。この他、５つボタンマウスなどを表示することも可能である。
図４は、本発明の入力装置の状態遷移の一例を示す状態遷移図である。
【００４０】
マウス機能を有効にしている携帯端末装置には、マウスカーソルを制御している状態（Ｓ１）、マウスカーソル制御の譲渡待状態（Ｓ２）、およびマウスカーソル制御の譲受待状態（Ｓ３）の状態が存在する。
【００４１】
Ｓ１のマウスカーソルを制御している状態とは、情報処理装置に入力デバイスとして接続されている状態のことであり、Ｓ２のマウスカーソルの譲渡待状態とは、入力デバイスとして接続している状態から、切断され、別の携帯端末装置が接続されるのを待っている状態である。
【００４２】
Ｓ１およびＳ２の状態になれる携帯端末装置は入力システムの中で１台のみであって、その他の携帯端末装置は、Ｓ３の状態でマウスカーソルの受け取り待機の状態となっている。
図５は、本発明の入力システムの操作権限の付与処理の一例をフローチャートである。
【００４３】
情報処理装置から操作することで、携帯端末装置にマウスカーソルの制御権限を与える処理となる。本入力システムの利用開始時に利用可能な処理である。
【００４４】
ステップＳ５０１で、情報処理装置上で携帯端末装置のマウス管理ランチャを起動する。マウス管理ランチャとは、入力システムに接続された携帯端末装置が選択可能に表示された画面であり、情報処理装置の表示画面上にアプリケーションにより表示される。
【００４５】
ステップＳ５０２では、マウス機能アプリケーションを有効にしていて、情報処理装置に接続されている携帯端末装置が、図６の６０１に示すランチャ画面に表示される。
【００４６】
また、接続されている状態とは、入力システムのアプリケーションが起動されていて、情報処理装置と通信可能な状態になっているということであって、入力デバイスとして接続されているという意味とは異なるものである。
【００４７】
ステップＳ５０３では、携帯端末装置マウス管理ランチャにて、入力デバイスとして接続させたい端末をクリックする。本実施例では、携帯端末装置Ａを選択してこととする。
【００４８】
ステップＳ５０４では、携帯端末装置Ａの状態が、マウスカーソル制御譲受待機中状態からマウスカーソル制御状態に遷移する。
【００４９】
ステップＳ５０５では、携帯端末Ａにマウスカーソルの制御の権限が割り当てられ（入力デバイスとして情報処理装置に接続し）、ステップＳ５０６では、図６の６０２に示すように、携帯端末装置Ａを示す記号の色が変化する。（実施例では、色の表現はされていないが、例えば、橙色など）これにより、ステップＳ５０７では、表示画面上に入力デバイス（ソフトウェアマウス）が表示され、マウスとして利用可能になる。ソフトウェアマウスとは、画面上にマウスを画面イメージとして出力したものである。
図６は、本発明の入力システムの操作権限変更のイメージ図である。
【００５０】
情報処理装置の表示画面上に表示される、携帯端末装置マウス管理ランチャの一例であり、マウス権限を付与可能な携帯端末装置が表示されている。携帯端末装置を選択して、不図示の実行ボタンを選択することにより、携帯端末装置が、情報処理装置に入力デバイスとして接続される。接続された場合には、ランチャ上の表示が変更される。
図７は、本発明の入力システムの全体処理の一例を示すフローチャートである。
【００５１】
ステップＳ７０１からステップＳ７０５は、携帯端末装置（入力装置）での処理を示し、ステップＳ７１１からステップＳ７１３は情報処理装置での処理を示す。
【００５２】
ステップＳ７０１で、携帯端末装置上でユーザがモードの切り替えを行う。モードの切り替えは不図示のメニューから行われてもよいし、音声により切り替えてもよく、方法は複数ある。また、モードには、音声モード、振動モード、および手動モードの３種類がある。
【００５３】
それぞれのモードでは、指定の方法が異なるが、入力デバイスとして情報処理装置に接続させたい携帯端末装置の指定を行うことで、情報処理装置に対して接続要求を行う。
【００５４】
音声モードが選択された場合は、ステップＳ７０３で音声モード処理を行う。振動モードが選択された場合は、ステップＳ７０４で振動モード処理を行う。手動モードが選択された場合は、ステップＳ７０５で手動モード処理を行い、情報処理装置に対して、マウスカーソルの制御の権限変更の依頼を送信する。
【００５５】
ステップＳ７０３の音声モード処理では、マウスカーソル制御の権限を有している（例えば）携帯端末Ａから、マウスカーソル制御の権限を譲渡したい（例えば）携帯端末装置Ｂの端末名称を、マイクを利用して入力することで、権限を譲渡したい携帯端末装置を特定する。
【００５６】
ステップＳ７０４の振動モード処理では、マウスカーソル制御の権限を譲渡したい（例えば）携帯端末装置Ａと、マウスカーソル制御の権限を譲渡したい（例えば）携帯端末装置Ｂを振ってぶつける（接触させる）ことで、権限を譲渡したい端末装置を特定する。特定する際には、加速度センサおよびＧＰＳの情報を用い、例えば、振動が起きた際にＧＰＳ情報により近くにいる携帯端末装置を特定することにより実現できる。
【００５７】
手動モード処理Ｓ７０５では、図６に示したランチャを、マウスカーソル制御の権限を委譲したい（例えば）携帯端末Ａのディスプレイに表示する。そこで、マウスカーソル制御の権限を譲渡したい（例えば）携帯端末Ｂを選択することで、権限を譲渡したい携帯端末装置を特定する。
【００５８】
ステップＳ７１１で権限変更受信を行う。これは、携帯端末装置から別の携帯端末装置へ、入力デバイスとしての変更を切り替える指示を受け付ける。すなわち携帯端末からの、入力デバイスとしての接続要求を受付けることを意味する。
【００５９】
ステップＳ７１２では、権限の変更指示をしてきた携帯端末装置が、入力デバイスの操作権限を有しているかを判定する。現在入力デバイスとして接続されている場合は、ステップＳ７１３に進み、権限変更処理を行い、処理を終了する。権限変更処理の詳細については後述する。
【００６０】
一方、権限が無い（入力デバイスとして情報処理装置に接続されていない）場合は、権限変更処理をスキップして処理を終了する。これにより、マウスの操作権限を有している携帯端末装置からの変更要求だけを受け付けることができる。
【００６１】
なお、ステップＳ７０１の前に、権限を有する携帯端末のみ、権限の変更要求を行えるように構成することもできる。
図８は、本発明の入力システムの携帯端末装置情報テーブルの一例を示す図である。
【００６２】
情報処理装置の記憶部に記憶される。携帯端末情報テーブル８００は、端末名８０１、識別ＩＤ８０２、使用者名８０３、および制御権利８０４の情報を有する。
【００６３】
端末名８０１は、携帯端末装置の名称であり、本入力システムに接続されている端末の名称が記憶される。識別ＩＤ８０２は、携帯端末装置を一意に識別するためのＩＤで、情報処理装置に権限変更要求を行った携帯端末装置を特定する場合などに利用される。また、音声モードの際などには、識別ＩＤ８０２や、携帯端末装置の使用者名８０３を発生することで、権限を譲渡したい携帯端末装置を指定することができる。
【００６４】
制御権利８０４は、現在マウスカーソルの制御権限を有する端末、すなわち、入力デバイスとして情報処理装置に接続されている端末を識別可能なフラグが記憶されている。「１」が記憶されている場合、現在接続されている端末であるという意味である。
図９は、本発明の入力システムの権限変更処理の一例を示す図である。
【００６５】
権限変更処理とは、入力デバイスとして情報処理装置に接続されている携帯端末装置を変更することである。
図７のステップＳ７１３の権限変更処理に対応する。まず、ステップＳ９０１で、権限変更要求を行った携帯端末装置の入力デバイスとして情報処理装置への接続を解除する。
【００６６】
ステップＳ９０２では、権限変更要求で、権限を譲渡するように指定された携帯端末装置を入力デバイスとして情報処理装置に接続する。
【００６７】
ステップＳ９０３では、携帯端末装置情報テーブルの制御権限をステップＳ９０２で接続した携帯端末装置に変更して処理を終了する。
【００６８】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６９】
また、本発明におけるプログラムは、フローチャートの処理方法をコンピュータが実行可能なプログラムであり、本発明の記憶媒体はフローチャート処理方法をコンピュータが実行可能なプログラムが記憶されている。なお、本発明におけるプログラムは各装置の処理方法ごとのプログラムであってもよい。
【００７０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００７１】
この場合、記録媒体から読み出されたプログラム自体が本発明の新規な機能を実現することになり、そのプログラムを記憶した記録媒体は本発明を構成することになる。
【００７２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００７３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【００７６】
１００  携帯端末
１０１  タッチパネル
１０２  マイク
１０３  ＧＰＳ
１０４  音声処理部
１０５  加速度センサ
１０６  マウスカーソル制御の権利処理部
１０７  近距離無線通信部
１１０  近距離無線通信装置
１２０  情報処理装置
１２１  マウスカーソル制御の権利管理モジュール
１２２  マウスカーソル制御の権利受信モジュール
１２３  マウスカーソル制御の通信管理モジュール
【図１】
2014130490.tif 000003
【図２】
2014130490.tif 000004
【図３】
2014130490.tif 000005
【図４】
2014130490.tif 000006
【図５】
2014130490.tif 000007
【図６】
2014130490.tif 000008
【図７】
2014130490.tif 000009
【図８】
2014130490.tif 000010
【図９】
2014130490.tif 000011